(57)【要約】【課題】地下敷設の水道管バルブを開閉操作などするための継ぎ手において、すでに敷設されている水道管のバルブの頂部に対しても、土を掘り返すなどの手間や費用をかけることなく、容易に、かつしっかりと接続することができる地下敷設水道バルブ用継ぎ手を提供することを課題とする。【解決手段】上記課題解決のため、本発明は、フランジ付頂部にかぶせるためのカップ本体と、カップ本体側部に設けられた固定突起と、初期状態で前記固定突起に係止されると共に、カップ本体内に突入される地下敷設水道バルブのフランジ付頂部による上方突上げに伴ってこの固定突起を案内するためのＬ溝状レールを有し、このＬ溝状レールにそった前記固定突起の案内により自身が閉動してフランジ下部を噛みこむように構成された一組のあご部と、を有する地下敷設水道バルブ用継ぎ手を提供する。【選択図】図１
2007239963.tif 000002
【特許請求の範囲】
【請求項１】
地下敷設水道バルブのフランジ付頂部を突入把持する継ぎ手であって、
前記フランジ付頂部にかぶせるためのカップ本体と、
カップ本体側部に設けられた固定突起と、
初期状態で前記固定突起に係止されると共に、カップ本体内に突入される地下敷設水道バルブのフランジ付頂部による上方突上げに伴ってこの固定突起を案内するためのＬ溝状レールを有し、このＬ溝状レールにそった前記固定突起の案内により自身が閉動してフランジ下部を噛みこむように構成された一組のあご部と、
を有する地下敷設水道バルブ用継ぎ手。
【請求項２】
地下敷設水道バルブのフランジ付頂部を突入把持する継ぎ手であって、
前記フランジ付頂部にかぶせるためのカップ本体と、
カップ本体側部に設けられた固定突起と、
カップ本体内部に突入される地下敷設水道バルブのフランジ付頂部による上方突上げに伴って上方に突き上げ移動させられる可動突起と、
初期状態で前記固定突起および可動突起に係止されると共に、カップ本体内に突入される地下敷設水道バルブのフランジ付頂部による上方突上げに伴う可動突起の移動にともなって可動突起との係止が解除され、自重による前記固定突起を支点とした回動により自身が閉動してフランジ下部を噛みこむように構成された一組のあご部と、
を有する地下敷設水道バルブ用継ぎ手。
【請求項３】
前記一組のあご部は、
前記カップ本体に対して係止するための係止穴を二種類有し、
第一の種類の係止穴は、請求項１に記載の地下敷設水道バルブ用継ぎ手の一組のあご部が閉動する際の回転支点として機能する第一係止穴であり、
第二の種類の係止穴は、請求項２に記載の地下敷設水道バルブ用継ぎ手の一組のあご部を初期状態で開いて係止するとともに、前記上方突上げにともなって係止を解除し、前記自重による回動を可能とするための第二係止穴である
請求項１又は２に記載の地下敷設水道バルブ用継ぎ手。
【請求項４】
前記第一係止穴は、前記上方突上にともなってカップ本体に対して相対的に上方移動し、
前記一組のあご部は、前記第一係止穴の上方移動にともなうＬ溝の前記固定突起に対する相対的移動により前記案内をする請求項３に記載の地下敷設水道バルブ用継ぎ手。
【発明の詳細な説明】
【技術分野】
【０００１】
本発明は、地下に敷設されている水道管のバルブを地上から開閉操作などするために、該バルブの操作ハンドル機構であるフランジ付のバルブ頂部に接続される継ぎ手に関する発明である。
【背景技術】
【０００２】
地下には、減圧弁や止水弁、仕切弁などのバルブを有する連結管によって連結された多数の水道管が敷設されている。そして、例えば修理や交換など、必要時にはそのバルブの開閉操作が行われるが、水道管は３０ｃｍから１００ｃｍの地下深くに敷設されており、そのバルブを操作するためのハンドル機構も地下深いところに位置している。そこで地上からこのバルブの開閉操作を行うために、図１３に示すようにその操作用ハンドル機構（バルブのフランジ付頂部）に接続される「継ぎ手」が利用されている。
【０００３】
しかし、このハンドル機構であるバルブのフランジ付頂部と継ぎ手の接続方法は、図１３（ａ）に示すように「フランジ付頂部に継ぎ手側のカップ状部材を上から被せる」という方法が一般的であり、何らかの衝撃で継ぎ手が外れ地下に脱落などする、などの事故の発生が避けられなかった。
【０００４】
そこで、近年では、このようなバルブを地下に敷設する際に、図１３（ｂ）に示すように予めボルトなどで地上付近までの長さの継ぎ手とバルブ頂部とを固定接続しておくなどの技術が提供されている。また、特許文献１にはL字型の継ぎ手をバルブに予め接続しておくことで、（通常交通道路などである）水道管直上以外の位置でその開閉操作を行うことができるバルブユニットが開示されている。
【特許文献１】特開２００２−１０６７４９号公報
【発明の開示】
【発明が解決しようとする課題】
【０００５】
しかし上記継ぎ手のボルト接続やＬ字継ぎ手の接続のいずれも、新たに水道管を敷設する際に実施されることを前提としており、すでに敷設済みの水道バルブに対応することが困難である。つまり、すでに敷設済みの水道バルブに関しては、ボルトなどでの固定作業を行うために結局土を一度は掘り返す必要があり、したがって手間と費用が嵩んでしまう、ということである。
【０００６】
そこで、本発明は、すでに敷設されている水道管のバルブの頂部に対しても、土を掘り返すなどの手間や費用をかけることなく、容易に、かつしっかりと接続することができる地下敷設水道バルブ用継ぎ手を提供することを課題とする。
【課題を解決するための手段】
【０００７】
上記課題を解決するために、本発明は、フランジ付頂部に上から被せることに伴い生じる上方突き上げ力を利用して噛みこみ用の「あご部」を閉動動作させ、バルブ頂部のフランジ下部を噛みこむ、という構造を備える地下敷設水道バルブ用継ぎ手を提供する。これにより本発明の地下敷設水道バルブ用継ぎ手は、フランジ付頂部に上から被せるだけで継ぎ手とフランジ付頂部とを固定把持することができる。
【０００８】
なお、本発明では、その閉動動作の機構として、上方突き上げ力をそのまま閉動動作機構の動力とする第一の地下敷設水道バルブ用継ぎ手と、上方突き上げ力を利用してストッパーを外すことで、あご部の自重回動をスタートさせ閉動動作を実行する第二の地下敷設水道バルブ用継ぎ手と、を提供する。
【０００９】
具体的に、第一の本発明は、地下敷設水道バルブのフランジ付頂部を突入把持する継ぎ手であって、前記フランジ付頂部にかぶせるためのカップ本体と、カップ本体側部に設けられた固定突起と、初期状態で前記固定突起に係止されると共に、カップ本体内に突入される地下敷設水道バルブのフランジ付頂部による上方突上げに伴ってこの固定突起を案内するためのＬ溝状レールを有し、このＬ溝状レールにそった前記固定突起の案内により自身が閉動してフランジ下部を噛みこむように構成された一組のあご部と、を有する地下敷設水道バルブ用継ぎ手である。
【００１０】
また、第二の本発明は、地下敷設水道バルブのフランジ付頂部を突入把持する継ぎ手であって、前記フランジ付頂部にかぶせるためのカップ本体と、カップ本体側部に設けられた固定突起と、カップ本体内部に突入される地下敷設水道バルブのフランジ付頂部による上方突上げに伴って上方に突き上げ移動させられる可動突起と、初期状態で前記固定突起および可動突起に係止されると共に、カップ本体内に突入される地下敷設水道バルブのフランジ付頂部による上方突上げに伴う可動突起の移動にともなって可動突起との係止が解除され、自重による前記固定突起を支点とした回動により自身が閉動してフランジ下部を噛みこむように構成された一組のあご部と、を有する地下敷設水道バルブ用継ぎ手である。
【００１１】
ところで、従来地下に敷設されている水道バルブの一般的な頂部の高さは、規格によって主に５０ｍｍと７０ｍｍの二サイズとなっている。そのため本発明の継ぎ手はこの二サイズのフランジ付頂部に適合させる必要がある。そこで上記第一と第二の継ぎ手は、それぞれその構成部材の形状やサイズなどを変えることで、５０ｍｍ用の第一の継ぎ手、７０ｍｍ用の第一の継ぎ手、あるいは５０ｍｍ用の第二の継ぎ手、７０ｍｍ用の第二の継ぎ手、という具合にそれぞれのサイズに別個に適合させることができる。
【００１２】
また、本発明の第一と第二の継ぎ手は、その構成部材が上記のように「カップ本体」、「固定突起」、「あご部」とほぼ同じくしている。したがって、その構成部材のサイズや形状を一とすることで、この二種類の地下敷設水道バルブ用継ぎ手を共通の部品で製造することを可能とするとともに、第一の継ぎ手を５０ｍｍサイズのフランジ付頂部用、第二の継ぎ手を７０ｍｍサイズのフランジ付頂部用とする、という具合に適合させることもできる。
【００１３】
そのために、前記第一及び第二の本発明の地下敷設水道バルブ用継ぎ手における一組のあご部は、前記カップ本体に対して係止するための係止穴を二種類有し、第一の種類の係止穴は、第一の本発明の地下敷設水道バルブ用継ぎ手の一組のあご部が閉動する際の回転支点として機能する第一係止穴であり、第二の種類の係止穴は、第二の本発明の地下敷設水道バルブ用継ぎ手の一組のあご部を初期状態で開いて係止するとともに、前記上方突上げにともなって係止を解除し、前記自重による回動を可能とするための第二係止穴であることを特徴とすると良い。
【００１４】
また、さらに、前記第一係止穴は、前記上方突上にともなってカップ本体に対して相対的に上方移動し、前記一組のあご部は、前記第一係止穴の上方移動にともなうＬ溝の前記固定突起に対する相対的移動により前記案内をすることを特徴とすると良い。
【発明の効果】
【００１５】
以上のような構成をとる本発明によって、一般的な接続方法と同じく、フランジ付頂部（ハンドル機構）に本発明の継ぎ手のカップ本体を上から突入させ被せるだけで、そのあご部が閉動してバルブのフランジ下部を噛みこむので、土を掘り返す作業などなくても継ぎ手と水道バルブの頂部とを容易に、かつしっかりと固定することができる。したがって手間や費用をかけずに、継ぎ手の地下脱落事故の発生などを避けることができる。
【００１６】
また、フランジ付頂部の２種類の規格サイズに対応するそれぞれの地下敷設水道バルブ用継ぎ手を、可能な限り共通の部品で製造することができるような部材構成とすることで、継ぎ手の製造コストを下げ製造効率を上げることも可能とする。
【発明を実施するための最良の形態】
【００１７】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１について説明する。また、実施例２は、主に請求項２について説明する。また、実施例３は、主に請求項３，４について説明する。
【００１８】
≪実施例１≫
<全体の概要>
本実施例の地下敷設水道バルブ用継ぎ手は、フランジ付頂部に上から被せることに伴い生じる上方突き上げ力を閉動動作機構の直接的な動力とし、後述するあご部を閉動動作させることでバルブ頂部のフランジ下部を噛みこみ、継ぎ手とフランジ付頂部とを固定把持することを特徴とする。
【００１９】
図１に示すのは、本実施例の地下敷設水道バルブ用継ぎ手における構造の一例を説明するための斜視概観図である。この図にあるように、本実施例の「地下敷設水道バルブ用継ぎ手」（０１００）は、「カップ本体」（０１０１）を有する。このカップ本体は、カップ形状であって、バルブのハンドル機構である後述するようなフランジ付頂部に、従来の継ぎ手同様に上から被せることができる。
【００２０】
またこのカップ本体側部には、図１にあるように「固定突起」（０１０２）と、上下方向に移動可能な「可動突起」（０１０４）とが設けられ、その固定突起と可動突起によって一組の「あご部」（０１０３ａ、０１０３ｂ）がカップ本体側部に係止されている。
【００２１】
そして「可動突起」は、あご部の「第一係止穴」（０１０４ｈ）に係合されている。そのため後述する機構によりフランジ付頂部のカップ本体内への突入により可動突起が矢印Ａに示す上方に突き上げられると、この「あご部」も上方に引き上げられる構成となっている。また、「固定突起」はあご部に設けられた「Ｌ溝状レール」（０１０５）にて係止されることで、このあご部の移動をＬ溝に沿って案内する。それによって前記可動突起の上方引き上げによるあご部の上方移動が、「第一係止穴」を支点とする矢印Ｂで示す横方向への回転移動に変換され、閉動動作を行うことになる。
【００２２】
このようにして、フランジ付頂部のカップ本体内への突入に伴い一組の「あご部」が閉動することで、バルブ頂部のフランジ下部をあご部の「噛みこみ部材」（０１０６ａ、０１０６ｂ）が噛みこむ。したがって本実施例の地下敷設水道バルブ用継ぎ手をバルブのフランジ付頂部の上から被せるだけで、継ぎ手とバルブのフランジ付頂部とを簡単にしっかりと固定把持することができる。
【００２３】
以下、上記各構成部材について図面を用いてさらに詳細に説明する。また、フランジ付頂部を固定把持するためのあご部の閉動動作についても図面を用いてさらに詳細に説明する。
【００２４】
<構成部材>
「カップ本体」（０１０１）は、地下敷設水道バルブの操作ハンドル機構であるフランジ付頂部にかぶせるためのカップ形状部材であり、従来の継ぎ手に備えられているものと同様の部材である。しかし、従来の継ぎ手と同様にカップ本体にそのバルブのフランジ付頂部を突入させると、本発明では後述する閉動動作機構の作用によりカップ本体側部に係止されている一組の「あご部」が閉動し左右からフランジ下部を噛みこむので、従来とは異なり継ぎ手とフランジ付頂部とを固定把持することができる。
【００２５】
図２に示すのは、このカップ本体のさらに別の一例を説明するための側部概観図と底面概観図である。この図にあるように、「カップ本体」（０２０１）内の空洞部分の入り口付近、あるいは空洞内部に「ゴムシート」を配置し、そのゴムの圧着力でフランジ付頂部を把持するよう構成されていても良い。
【００２６】
図３に示すのは、この「カップ本体」が上から被せられるバルブの「フランジ付頂部」の一例を表す斜視概観図である。この図３にあるように、「フランジ付頂部」は、カップ本体内部に突入する「頂部」（α）と、その頂部に被せられたカップ本体の下方向への必要以上の押込みを防止する鍔状部材である「フランジ」（β）と、からなる。なお、前述の頂部のサイズとは、このフランジから頂部の頂点までの高さのサイズをいう。
【００２７】
そして前記「カップ本体」はこの「頂部」（α）への上からの被せこみによって、「フランジ」（β）に当たるまで自身内部の空洞部分にこの頂部を突入させる。すると、その突入により上方突き上げ力が頂部に生じるので、後述するようにその上方突き上げ力を利用しカップ本体側部に係止された「あご部」を閉動動作させ、フランジの下部を噛みこみ、継ぎ手とフランジ付頂部とを固定把持する構造となっている。
【００２８】
図４に示すのは、このフランジ付頂部を、あご部が噛みこむ様子の一例を表す側面概略図、および平面概略図（フランジ付頂部を上から見た図）である。この図４（ａ）の（１）にあるように、初期状態では一組の「あご部」（０４０３ａ、０４０３ｂ）は水平状態で係止されており、したがって、図４（ｂ）の（１）にあるように、継ぎ手を上から被せた際に「フランジ」（β）が通過する空間が形成されている。そして、後述する機構により図４（ａ）の（２）に示すように「あご部」が閉動動作し、図４（ｂ）の（２）にあるようにあご部の「噛みこみ部材」（０４０６ａ、０４０６ｂ）がこの「フランジ」の下部を噛みこむ、という具合である。
【００２９】
つづいて、本実施例の継ぎ手のカップ本体側部に「あご部」を係止するとともに、フランジ付頂部がカップ本体内に突入することによる上方突上げに伴う「あご部」の閉動動作を実現するための構成部材である「固定突起」と「可動突起」について以下に説明する
【００３０】
「固定突起」（０１０２）は、カップ本体側部に設けられ、例えば図１にあるようにカップ本体側部に固定されたボルトなどで構成されると良い。そして、この固定突起は、本実施例では後述するあご部の移動を案内するためのガイドピンの機能を実現するための部材であるため、基本的には動かないよう固定されている。また実施例２と部品を共通とする場合には、実施例２ではこの固定突起はあご部の自重による回転の際の支点として機能を実現する。
【００３１】
「可動突起」（０１０４）は、フランジ付頂部のカップ本体内への突入によって「あご部」（０１０３ａ、０１０３ｂ）を上方に突き上げるための機構の一例である。もちろん、本実施例においてこのあご部の上方突き上げ機構は可動突起を利用した機構には限定されない。また、この「可動突起」という名称の構成部材は、実施例２の継ぎ手における構成部材であるが、実施例１と実施例２とで部品を共通とした継ぎ手とする場合に、その説明を容易とするために、ここでの名称も「可動突起」としている。
【００３２】
図５に示すのは、この「可動突起」の上方突き上げ動作の一例について説明するためのカップ本体の側面概観図である。この図５（ａ）にあるように、「カップ本体」（０５０１）の左右側部に可動突起の移動ガイドとなる「直線状の溝」（０５０４ｇ）が設けられており、図５（ｂ）に示すように、棒状の「可動突起」（０５０４）がその「溝」（０５０４ｇ）を通りカップ本体内部を貫通して配置されている。
【００３３】
したがって、図５（ａ）の破線部分での断面図である図５（ｂ）にあるように、カップ本体内にバルブの「頂部」（α）が突入すると、その頂部に押されて「可動突起」（０５０４）も「直線状の溝」（０５０４ｇ）に沿って上方に突き上げられ矢印Ａ方向に移動する、という具合である。そして後述するように「あご部」は「第一係止穴」によってこの「可動突起」に係止されているので、可動突起の上方移動に合わせてあご部も上方へ引き上げられることになる。
【００３４】
つづいて、継ぎ手とフランジ付頂部とを固定把持するために、前記可動突起の上方突き上げなどに伴う上方移動により閉動動作しフランジ下部を噛みこむ「あご部」の形状およびその閉動動作について説明する。
【００３５】
「あご部」（０１０３ａ、０１０３ｂ）は、左右に一組で構成され、初期状態で固定突起（０１０２）に係止されると共に、「Ｌ溝状レール」（０１０５）を有することを特徴とする部材である。なお、「初期状態」とは、カップ本体内に地下敷設水道バルブのフランジ付頂部が突入する前の状態をいう。そして、地下敷設水道バルブのフランジ付頂部がカップ本体内に突入すると、その突入による上方突上げに伴うあご部の移動に際し、「Ｌ溝状レール」が前記固定突起を案内することになる。
【００３６】
図６に示すのは、このあご部の構造の一例を表す側面概観図と正面概観図である。この図にあるように、「あご部」（０６０３ａ）は、「Ｌ溝上レール」（０６０５）を有する例えばステンレス製の「Ｌ字型ウィング」と、「噛みこみ部材」（０６０６ａ）と、で構成されている。また、そのＬ字型ウィングは、前述の可動突起により係止されるための「第一係止穴」（０６０４ｈ）を備えている。
【００３７】
したがってこのあご部は、例えば図５にて説明したような機構により上方に突き上げられる可動突起に引き上げられる形で上方移動することになる。そしてその引き上げ移動に際し、固定突起（図１中の０１０２）が、「Ｌ溝上レール」（０６０５）を案内するので、あご部はこの「第一係止穴」（６０４ｈ）を支点として横方向に回転閉動し、その「噛みこみ部材」（０６０６）がバルブのフランジ下部を噛みこむことになる、という具合である。
【００３８】
なお、この「あご部」を５０ｍｍのフランジ付頂部に適合した継ぎ手と７０ｍｍのフランジ付頂部に適合した継ぎ手とで共通の部品とする場合、可動突起の係止位置として「第一係止穴」（０６０４ｈ）ではなく、その上部に設けられた左右一組の「爪状部材」（０６０４ｎ）が向かい合い形成される「第二係止穴」とすると良い。なおその際のあご部のフランジ噛みこみ動作に関しては実施例２にて後述する。
【００３９】
<閉動動作の流れ>
図７に示すのは、閉動動作の各段階における地下敷設水道バルブ用継ぎ手の一例を表す側面概略図である。この図７の（１）にあるように、初期状態では、カップ本体（０７０１）の側部に設けられた固定突起（０７０２）と可動突起（０７０４）により、一組のあご部（０７０３ａ、０７０３ｂ）が、底面が水平となるような状態で係止されている。
【００４０】
ここでバルブのフランジ付頂部（α）がカップ本体内部に突入することで、図５で説明したような機構により、可動突起（０７０４）が矢印Ａで示す上方へと突き上げられる。するとこの可動突起の上方突き上げに伴い、第一係止穴で可動突起と係合されているあご部（０７０３ａ、０７０３ｂ）も、図７（２）に示すように、上方に引き上げられる。そして、あご部は「Ｌ溝状レール」（０７０５）によって固定突起（０７０２）とも係合されているので、この引き上げ動作の際にはこの固定突起の案内によってまずはそのまま上方に移動する。
【００４１】
そして、突起がL溝状レールのコーナー部に当たった後も、「カップ本体」（０７０１）がバルブ頂部のフランジ（β）に当たるまで前記引き上げ動作が続くので、図７（３）にあるように、一組の「あご部」は、今度は「第一係止穴」（０７０４ｈ）を支点として、「固定突起」（０７０２）の「Ｌ溝状レール」（０７０５）に沿った案内により矢印Ｂで示す横方向に回転し、閉動移動することになる。そして、このようなフランジ付頂部のカップ本体内への突入によるあご部の動作により、図７の（４）に示すように、あご部の噛みこみ部材（０７０６ａ、０７０６ｂ）が、バルブ頂部の「フランジ」（β）の下部を噛みこむ、という具合である。
【００４２】
なお、上記地下敷設水道バルブ用継ぎ手を５０ｍｍのフランジ付頂部用とした場合、例えば「あご部」のサイズを変更し、第一係止穴を設ける位置を２０ｍｍ上部とすることで、７０ｍｍのフランジ付頂部においても同様にあご部にて噛みこみ固定把持することができる。したがって、本実施例の構造を有する地下敷設水道バルブ用継ぎ手を、サイズが７０ｍｍのフランジ付頂部に対応した継ぎ手とすることもできる。
【００４３】
また、構成部材のサイズや形状を共通としたうえで本実施例を５０ｍｍのフランジ付頂部用の継ぎ手とし、実施例２を７０ｍｍのフランジ付頂部用の継ぎ手とするためには、実施例３にて後述する。
【００４４】
<効果の簡単な説明>
このように本実施例の地下敷設水道バルブ用継ぎ手は、フランジ付頂部のカップ本体内への突入によりあご部が上方移動し、あご部の噛みこみ部分がバルブ頂部のフランジ下部を噛みこむ。したがって、土を掘り返すなどの手間や費用をかけることなく、フランジ付頂部にこの継ぎ手を上から被せるだけで継ぎ手とフランジ付頂部とを簡単にしっかりと固定把持することができる。
【００４５】
≪実施例２≫
<全体の概要>
本実施例の地下敷設水道バルブ用継ぎ手は、フランジ付頂部に上から被せることに伴い生じる上方突き上げ力をあご部のストッパーの解除に利用し、あご部の自重による回転で閉動動作をスタートさせ、それによりフランジ下部を噛みこみ、継ぎ手とフランジ付頂部とを固定把持することを特徴とする。
【００４６】
図８に示すのは、本実施例の地下敷設水道バルブ用継ぎ手における構造の一例を説明するための斜視概観図である。この図にあるように、本実施例の「地下敷設水道バルブ用継ぎ手」（０８００）は、実施例１同様の「カップ本体」（０８０１）を有し、水道バルブのフランジ付頂部に上から被せることができる。
【００４７】
またこのカップ本体側部には、実施例１同様、図にあるように「固定突起」（０８０２）と、上下方向に移動可能な「可動突起」（０８０４）とが設けられ、その固定突起と可動突起によって一組の「あご部」（０８０３ａ、０８０３ｂ）がカップ本体側部に係止されている。そして、これら「カップ本体」や「固定突起」、「可動突起」、「あご部」や、あご部の「Ｌ溝状レール」（０８０５）、「噛みこみ部材」（０８０６ａ、０８０６ｂ）といった継ぎ手を構成する部材の構造は、図２や図６などを用いて実施例１で記載した部材と同様とすることができる。また、本実施例の「可動突起」は、例えば図５を用いて実施例１で記載したものと同様の機構により、フランジ付頂部のカップ本体内突入による上方突き上げによって上方に移動する構造となっている。
【００４８】
そして、本実施例の特徴点は、この「可動突起」と「あご部」が閉じた穴である「第一係止穴」（０８０４ｈ）にて係合されていないため、可動突起が上方移動してもあご部は上方に引き上げられない。そしてその替わりに、可動突起の上方移動により可動突起によるあご部の係止が解除され、「あご部」が固定突起を支点とした自重による回転動作をスタートさせる点である。
【００４９】
この可動突起とあご部の係止、およびその上方移動による係止の解除は、例えば前述のように、あご部の上部に設けられた「爪状部材」（０８０４ｎ）が左右向かい合い形成される「第二係止穴」を利用して行うことができる。
【００５０】
図９に示すのは、可動突起とあご部の係止、およびその上方移動による係止の解除を説明するための地下敷設水道バルブ用継ぎ手を表す斜視概観図、およびあご部の側面概略図である。この図９（ａ）にあるように、第二係止穴にて可動突起があご部を係止していない場合、左側に噛みこみ部材を備える「左あご部」（０９０３ａ）は、その重さのバランスから、「Ｌ溝状レール」（０９０５）上部にて係止する「固定突起」（０９０２）を支点として、自重により逆時計回りに回動する。一方、右側に噛みこみ部材を有する「右あご部」（０９０３ｂ）は、同様に「固定突起」（０９０２）を支点として自重により時計回りに回動する。
【００５１】
しかし、図９（ｂ）に示すように初期状態では「可動突起」（０９０４）がストッパーとなり、それぞれの「爪状部材」（０９０４ｎ）が回動方向に引っ掛っているので、上記自重による左右あご部の回動が抑止されている。そして図５で説明したようにしてフランジ付頂部突入による上方突き上げに伴い「可動突起」が矢印Ａに示すように上方移動すると、それぞれの爪状部材は閉口部材ではなく開口部材であるので、可動突起は簡単に爪状部材から外れ、その係止が解除されることになる。したがって、ストッパーである「可動突起」の係止解除により左右の「あご部」（０９０３ａ、０９０３ｂ）が「固定突起」（０９０２）を支点として自重で回動し、フランジの下部を噛みこむように閉動動作する、という具合である。
【００５２】
<閉動動作の流れ>
図１０に示すのは、閉動動作の各段階における本実施例の地下敷設水道バルブ用継ぎ手の側面概略図である。この図１０の（１）にあるように、初期状態では、カップ本体（１００１）の側部に設けられた固定突起（１００２）と可動突起（１００４）により、一組のあご部（１００３ａ、１００３ｂ）が、噛みこみ部分が水平となるような状態で係止されている。ただし、その可動突起による係止は、実施例１とは違い、第一係止穴の上部にて一組の「爪状部材」（１００４ｎ）により形成された第二係止穴で行われている。
【００５３】
ここでフランジ付頂部（α）がカップ本体内部に突入することで、図５で説明したような機構により、可動突起（１００４）が上方へと突き上げられる。すると図１０（２）に示すように、その上方突き上げに伴う「可動突起」（１００４）の上方移動で、可動突起による左右それぞれの「爪状部材」（１００４ｎ）の係止が解除される。
【００５４】
すると、前述のように左右のあご部の形状に由来する重さのバランスから、図１０（３）に示すように、固定突起（１００２）を支点として左あご部（１００３ａ）が自重により逆時計回りに回動し、右あご部（１００３ｂ）が自重により時計周りに回動し、閉動移動することになる。
【００５５】
このようなフランジ付頂部のカップ本体内への突入によるあご部の動作により、図１０の（４）に示すように、あご部の噛みこみ部分（１００６ａ、１００６ｂ）が、バルブ頂部のフランジ下部を噛みこむ、という具合である。
【００５６】
<効果の簡単な説明>
このように本実施例の地下敷設水道バルブ用継ぎ手は、フランジ付頂部のカップ本体内への突入により可動突起によるあご部の係止が解除され、自重による回動動作であご部の噛みこみ部分がバルブ頂部のフランジ下部を噛みこむ。したがって、本実施例でも土を掘り返すなどしなくてもフランジ付頂部にこの継ぎ手を上から被せるだけで、継ぎ手とフランジ付頂部とを簡単にしっかりと固定把持することができる。
【００５７】
≪実施例３≫
<概要>
本実施例は、実施例１と実施例２の継ぎ手においてサイズや形状が同じ構成部材を利用して、この二種類の地下敷設水道バルブ用継ぎ手を共通の部品で製造することを可能とするとともに、第一の継ぎ手を５０ｍｍサイズのフランジ付頂部用、第二の継ぎ手を７０ｍｍサイズのフランジ付頂部用とする、という具合に適合させた場合の地下敷設水道バルブ用継ぎ手である。
【００５８】
したがって、基本的な構造やその閉動動作などは、実施例１や２で説明したものと同じであるので省略し、実施例１と実施例２の継ぎ手においてサイズや形状が同じ構成部材を利用する場合に生じる構造上の相違点を中心に以下に説明する。
【００５９】
<相違点>
上記のようにサイズや形状が同じ構成部材を利用した５０ｍｍ用の実施例１の継ぎ手と、７０ｍｍ用の実施例２の継ぎ手との構造上の相違点は以下のような相違点となる。すなわちカップ本体に突入するフランジ付頂部の長さが実施例２では実施例１に比べて２０ｍｍ長いため、カップ本体のさらに２０ｍｍ分奥深くにフランジ付頂部を収納した状態で、あご部がバルブのフランジ下部を噛みこむよう閉動移動する構造とする必要がある。そのために、実施例２では、可動突起の初期状態での配置位置が実施例１と異なり、またあご部においてその可動突起と係止するための係止位置が異なるよう構成する、という具合である。
【００６０】
つまり、図５に示す「可動突起」（０５０４）の初期状態の係止位置が実施例２では実施例１よりも２０ｍｍ上に位置している点が、部材を共通化するための第一の特徴点である。また、当然その溝（０５０４ｇ）の長さも、両サイズに対応した可動範囲に相当する長さである。
【００６１】
また、図６に示す「あご部」は、カップ本体に対して係止するための係止穴を二種類有し、「第一係止穴」（０６０４ｈ）の２０ｍｍ上部に「第二係止穴」を形成するための「爪状部材」（０６０４ｎ）が設けられている点が、部材を共通化するための第二の特徴点である。そして第一係止穴と第二係止穴の位置関係が上記のようであるため、フランジ付頂部のカップ本体内突入による可動突起の上方突き上げが、実施例２では実施例１よりも２０ｍｍ深い突入段階で起こることになる。したがって実施例２の機構によるあご部の閉動動作も、フランジをあご部にて噛みこめる位置までフランジ付頂部が突入した段階で行われることになる、ということになる。
【００６２】
<全体の寸法例>
図１１に示すのは、５０ｍｍ用と７０ｍｍ用とでサイズや形状が同じ構成部材を利用した本実施例の継ぎ手における全体寸法の一例を表す図である。この図にあるように、カップ本体はその底面の直径が７５ｍｍであり、高さが８０ｍｍとなっている。したがって、５０ｍｍ、７０ｍｍ双方のフランジ付頂部をその内部に突入させ収納することができる。また、カップ本体最下部（バルブ頂部のフランジに当たる部分）から、あご部の第一係止穴までの長さは５０ｍｍ以下となっており、初期状態ではこの位置で係止している可動突起は５０ｍｍのフランジ付頂部のカップ本体内への突入により上方突き上げされるよう構成されている。
【００６３】
また、カップ本体最下部から、あご部の第二係止穴までの長さは７０ｍｍ以下となっており、初期状態ではこの位置で係止している可動突起は７０ｍｍのフランジ付頂部のカップ本体内への突入により上方突き上げされるよう構成されている。
【００６４】
<効果の簡単な説明>
このように５０ｍｍ用と７０ｍｍ用とで構造のみを相違させ部材は共通化することで、製造工程の効率化と製造費用の低減化を図ることができる。また、両者の構造上の違いはカップ本体とあご部とを係止する「可動突起」の初期状態での配置位置と、そのあご部での係止位置だけなので、現場で可動突起の初期配置位置やあご部との係止位置を付け替えるだけで、両方のフランジ付頂部の規格サイズに対応した継ぎ手とすることができる。
【００６５】
<その他の地下敷設水道バルブ用継ぎ手>
図１２に示すのは、本発明のその他の地下敷設水道バルブ用継ぎ手における構造の一例を説明するための斜視概観図である。この図にあるように、「カップ本体」（１２０１）上部に設けられた「延長アーム」（１２０１ｅ）に「固定突起」（１２０２）を設け、半回動移動可能に鎌状の「あご部」（１２０３）が係止されている。
【００６６】
そしてフランジ付頂部にカップ本体を上から被せると、あご部の「鎌刃部位」（１２０３ｕ）がフランジと当接し、その鎌刃の上部形状にそって図矢印Ａで示す横方向に滑り固定突起を支点として半回動移動する。そして、カップ本体の最下部とフランジとが当接した段階で、あご部の自重によって生じる図矢印Ｂで示す方向への逆半回動運動により、あご部がフランジ下部を噛みこみ継ぎ手とフランジ付頂部とが固定把持される、という具合である。
【００６７】
また、図に示すようにこの鎌状あご部と固定突起と係止部分となる調整穴の位置を複数設け、その係止位置を変更することで、５０ｍｍと７０ｍｍ二サイズのフランジ付頂部に適合させることができる。
【図面の簡単な説明】
【００６８】
【図１】実施例１の地下敷設水道バルブ用継ぎ手における構造の一例を説明するための斜視概観図
【図２】実施例１の地下敷設水道バルブ用継ぎ手におけるカップ本体の一例を説明するための側部概観図と底面概観図
【図３】実施例１の地下敷設水道バルブ用継ぎ手のカップ本体が被せられるバルブのフランジ付頂部の一例を表す斜視概観図
【図４】実施例１の地下敷設水道バルブ用継ぎ手のあご部が、フランジ付頂部を噛みこむ様子の一例を表す側面概略図、および平面概略図
【図５】実施例１の地下敷設水道バルブ用継ぎ手における可動突起の上方突き上げ動作について説明するためのカップ本体の側面概観図
【図６】実施例１の地下敷設水道バルブ用継ぎ手におけるあご部の形状の一例を表す側面概観図と正面概観図
【図７】実施例１の地下敷設水道バルブ用継ぎ手における閉動動作の各段階での側面概略図
【図８】実施例２の地下敷設水道バルブ用継ぎ手における構造の一例を説明するための斜視概観図
【図９】実施例２の地下敷設水道バルブ用継ぎ手における可動突起とあご部との係止、およびが係止解除の一例を説明するための斜視概観図と側面概略図
【図１０】実施例２の地下敷設水道バルブ用継ぎ手における閉動動作の各段階での側面概略図
【図１１】実施例３の地下敷設水道バルブ用継ぎ手における全体寸法の一例を表す図
【図１２】本発明のその他の地下敷設水道バルブ用継ぎ手における構造の一例を説明するための斜視概観図
【図１３】従来の地下敷設水道バルブ用継ぎ手におけるフランジ付のバルブ頂部との接続方法の一例を表す図
【符号の説明】
【００６９】
０１００  地下敷設水道バルブ用継ぎ手
０１０１  カップ本体
０１０２  固定突起
０１０３  一組のあご部
０１０４  可動突起
０１０５  Ｌ溝状レール
０１０６  噛みこみ部材
【図１】
2007239963.tif 000003
【図２】
2007239963.tif 000004
【図３】
2007239963.tif 000005
【図４】
2007239963.tif 000006
【図５】
2007239963.tif 000007
【図６】
2007239963.tif 000008
【図７】
2007239963.tif 000009
【図８】
2007239963.tif 000010
【図９】
2007239963.tif 000011
【図１０】
2007239963.tif 000012
【図１１】
2007239963.tif 000013
【図１２】
2007239963.tif 000014
【図１３】
2007239963.tif 000015